(57)【要約】【課題】特定のアイポイントにおいて視認される表示パターンの視認性を向上させた表示装置を提供する。【解決手段】導光板２と、光源３Ａ，３Ｂとを備え、光源３Ａ，３Ｂから出射された光Ｌ１，Ｌ２を導光板２の端面２ａから導光板２の内部へと入射し、導光板２の内部で光Ｌ１，Ｌ２を導光させると共に、導光板２の背面２ｂ側に設けられた複数の反射ドット４により反射された光Ｌ１’，Ｌ２’を導光板２の正面２ｃ側から外部へと出射することによって、複数の反射ドット４により形成される表示パターンＰ１，Ｐ２を表示する表示装置１であって、複数の反射ドット４により反射された光Ｌ１’，Ｌ２’が表示パターンＰ１，Ｐ２を視認する特定のアイポイントＥＰに向かって出射されるように、各反射ドット４に入射する光Ｌ１，Ｌ２の入射方向に対する各反射ドット４により反射される光Ｌ１’，Ｌ２’の反射方向が制御されている。【選択図】図１
2019215475.tif 000002
【特許請求の範囲】
【請求項１】
導光板と、前記導光板の端面に沿って配置された光源とを備え、前記光源から出射された光を前記導光板の端面から前記導光板の内部へと入射し、前記導光板の内部で光を導光させると共に、前記導光板の背面側に設けられた複数の反射ドットにより反射された光を前記導光板の正面側から外部へと出射することによって、前記複数の反射ドットにより形成される表示パターンを表示する表示装置であって、
前記複数の反射ドットにより反射された光が前記表示パターンを視認する特定のアイポイントに向かって出射されるように、各反射ドットに入射する光の入射方向に対する各反射ドットにより反射される光の反射方向が制御されていることを特徴とする表示装置。
【請求項２】
一の表示パターンを形成する複数の反射ドットに構成される一の反射ドット群と、
他の表示パターンを形成する複数の反射ドットに構成される他の反射ドット群と、
前記一の反射ドット群に向けて一の光を出射する一の光源と、
前記他の反射ドット群に向けて他の光を出射する他の光源とを備え、
前記一の反射ドット群を構成する複数の反射ドットにより反射された一の光が前記アイポイントに向かって出射され、
前記他の反射ドット群を構成する複数の反射ドットにより反射された他の光が前記アイポイントに向かって出射されることを特徴とする請求項１に記載の表示装置。
【請求項３】
前記一の反射ドット群を構成する複数の反射ドットにより反射された他の光が前記アイポイントとは異なる位置に向かって出射され、
前記他の反射ドット群を構成する複数の反射ドットにより反射された一の光が前記アイポイントとは異なる位置に向かって出射されることを特徴とする請求項２に記載の表示装置。
【請求項４】
前記導光板の面内において、前記一の表示パターンを形成する一のパターン形成領域と、前記他の表示パターンを形成する他のパターン形成領域との少なくとも一部が重なり合っていることを特徴とする請求項２又は３に記載の表示装置。
【請求項５】
前記一のパターン形成領域と前記他のパターン形成領域とが重なり合う領域において、前記一の反射ドット群を構成する複数の反射ドットと、前記他の反射ドット群を構成する複数の反射ドットとのうち、隣接する一の反射ドットと他の反射ドットとの端部同士が突き合わされた合成ドットを含むことを特徴とする請求項４に記載の表示装置。
【請求項６】
前記一の光と前記他の光との色光が異なることを特徴とする請求項１〜５の何れか一項に記載の表示装置。
【請求項７】
前記複数の反射ドットは、前記光源からの光を反射する反射面を有し、
前記複数の反射ドットにより反射された光が前記アイポイントに向かって出射されるように、前記反射ドット毎に前記導光板の面内における前記反射面の向きが設定されていることを特徴とする請求項１〜６の何れか一項に記載の表示装置。
【請求項８】
前記反射面は、前記導光板を正面側から平面視したときに、当該反射面に入射する光の入射方向と交差する方向に延長された形状を有することを特徴とする請求項７に記載の表示装置。
【請求項９】
前記反射面は、前記導光板を正面側から平面視したときに、前記光源からの光が入射する側に向かって湾曲した形状を有することを特徴とする請求項８に記載の表示装置。
【請求項１０】
前記反射ドットは、前記導光板の背面に設けられた凹部により構成され、
前記凹部は、前記反射面を形成する傾斜面を含むことを特徴とする請求項８又は９に記載の表示装置。
【請求項１１】
前記光源は、異なる色光を発する複数の発光素子を含むことを特徴とする請求項１〜１０の何れか一項に記載の表示装置。
【請求項１２】
前記光源は、前記複数の発光素子が発する異なる色光を混色して出射することを特徴とする請求項１１に記載の表示装置。
【発明の詳細な説明】
【技術分野】
【０００１】
本発明は、表示装置に関する。
【背景技術】
【０００２】
例えば、導光板と、導光板の端面に沿って配置された光源とを備え、光源から出射された光を導光板の端面から導光板の内部へと入射し、導光板の内部で光を導光させると共に、導光板の背面側に設けられた複数の反射ドットにより反射された光を導光板の正面側から外部へと出射することによって、複数の反射ドットにより形成される表示パターンを表示する表示装置がある（例えば、下記特許文献１〜３を参照。）。
【先行技術文献】
【特許文献】
【０００３】
【特許文献１】特開２０１６−１１８６６７号公報
【特許文献２】特表２００３−５１９８１０号公報
【特許文献３】特開２００６−７５３６２号公報
【発明の概要】
【発明が解決しようとする課題】
【０００４】
ところで、上述した表示装置では、導光板の面内において複数の表示パターンを表示する場合に、それぞれの表示パターンに対応した光源からの光の入射方向に合わせて、それぞれの表示パターンを形成する複数の反射ドット（反射面）の向きが、光の入射方向に対して直交した方向となるように設定されている。また、各反射ドット（反射面）により反射される光の出射方向が、導光板の正面に対して垂直な方向となるように制御されている。
【０００５】
しかしながら、このような従来の表示装置では、視認者のアイポイント（左右の瞳の位置）から外れた領域の表示パターンを視認することは困難である。すなわち、導光板の正面側において表示される表示パターンは、その表示パターンの直上に向かって各反射ドット（反射面）により反射された光が出射されることにより表示される。このため、視認者のアイポイントから外れた領域の表示パターンを視認することは困難である。
【０００６】
したがって、従来の表示装置では、アイポイントを変えずに視認者の目幅よりも大きな表示パターンを視認することは困難である。また、従来の表示装置では、アイポイントを変えずに視認者の目幅よりも離れた位置にある複数の表示パターンを視認することは困難である。
【０００７】
本発明は、このような従来の事情に鑑みて提案されたものであり、特定のアイポイントにおいて視認される表示パターンの視認性を向上させた表示装置を提供することを目的とする。
【課題を解決するための手段】
【０００８】
上記目的を達成するために、本発明は以下の手段を提供する。
〔１〕  導光板と、前記導光板の端面に沿って配置された光源とを備え、前記光源から出射された光を前記導光板の端面から前記導光板の内部へと入射し、前記導光板の内部で光を導光させると共に、前記導光板の背面側に設けられた複数の反射ドットにより反射された光を前記導光板の正面側から外部へと出射することによって、前記複数の反射ドットにより形成される表示パターンを表示する表示装置であって、
前記複数の反射ドットにより反射された光が前記表示パターンを視認する特定のアイポイントに向かって出射されるように、各反射ドットに入射する光の入射方向に対する各反射ドットにより反射される光の反射方向が制御されていることを特徴とする表示装置。
〔２〕  一の表示パターンを形成する複数の反射ドットに構成される一の反射ドット群と、
他の表示パターンを形成する複数の反射ドットに構成される他の反射ドット群と、
前記一の反射ドット群に向けて一の光を出射する一の光源と、
前記他の反射ドット群に向けて他の光を出射する他の光源とを備え、
前記一の反射ドット群を構成する複数の反射ドットにより反射された一の光が前記アイポイントに向かって出射され、
前記他の反射ドット群を構成する複数の反射ドットにより反射された他の光が前記アイポイントに向かって出射されることを特徴とする前記〔１〕に記載の表示装置。
〔３〕  前記一の反射ドット群を構成する複数の反射ドットにより反射された他の光が前記アイポイントとは異なる位置に向かって出射され、
前記他の反射ドット群を構成する複数の反射ドットにより反射された一の光が前記アイポイントとは異なる位置に向かって出射されることを特徴とする前記〔２〕に記載の表示装置。
〔４〕  前記導光板の面内において、前記一の表示パターンを形成する一のパターン形成領域と、前記他の表示パターンを形成する他のパターン形成領域との少なくとも一部が重なり合っていることを特徴とする前記〔２〕又は〔３〕に記載の表示装置。
〔５〕  前記一のパターン形成領域と前記他のパターン形成領域とが重なり合う領域において、前記一の反射ドット群を構成する複数の反射ドットと、前記他の反射ドット群を構成する複数の反射ドットとのうち、隣接する一の反射ドットと他の反射ドットとの端部同士が突き合わされた合成ドットを含むことを特徴とする前記〔４〕に記載の表示装置。
〔６〕  前記一の光と前記他の光との色光が異なることを特徴とする前記〔１〕〜〔５〕の何れか一項に記載の表示装置。
〔７〕  前記複数の反射ドットは、前記光源からの光を反射する反射面を有し、
前記複数の反射ドットにより反射された光が前記アイポイントに向かって出射されるように、前記反射ドット毎に前記導光板の面内における前記反射面の向きが設定されていることを特徴とする前記〔１〕〜〔６〕の何れか一項に記載の表示装置。
〔８〕  前記反射面は、前記導光板を正面側から平面視したときに、当該反射面に入射する光の入射方向と交差する方向に延長された形状を有することを特徴とする前記〔７〕に記載の表示装置。
〔９〕  前記反射面は、前記導光板を正面側から平面視したときに、前記光源からの光が入射する側に向かって湾曲した形状を有することを特徴とする前記〔８〕に記載の表示装置。
〔１０〕  前記反射ドットは、前記導光板の背面に設けられた凹部により構成され、
前記凹部は、前記反射面を形成する傾斜面を含むことを特徴とする前記〔８〕又は〔９〕に記載の表示装置。
〔１１〕  前記光源は、異なる色光を発する複数の発光素子を含むことを特徴とする前記〔１〕〜〔１０〕の何れか一項に記載の表示装置。
〔１２〕  前記光源は、前記複数の発光素子が発する異なる色光を混色して出射することを特徴とする前記〔１１〕に記載の表示装置。
【発明の効果】
【０００９】
以上のように、本発明によれば、特定のアイポイントにおいて視認される表示パターンの視認性を向上させた表示装置を提供することが可能である。
【図面の簡単な説明】
【００１０】
【図１】本発明の第１の実施形態に係る表示装置の構成を模式的に示す斜視図である。
【図２】図１に示す表示装置が備える導光板に設けられた反射ドットの構成を示し、（Ａ）はその平面図、（Ｂ）はその断面図である。
【図３】反射ドットの別の構成を示す平面図である。
【図４】反射面に対する光の入射方向及び出射方向とアイポイントとの関係を説明するための斜視図である。
【図５】反射角度が理想反射角度よりも小さい場合の反射面の向きを示し、（Ａ）はその補正前の状態を示す平面図、（Ｂ）はその補正後の状態を示す平面図である。
【図６】反射角度が理想反射角度よりも大きい場合の反射面の向きを示し、（Ａ）はその補正前の状態を示す平面図、（Ｂ）はその補正後の状態を示す平面図である。
【図７】合成ドットの構成を示す平面図である。
【図８】合成ドットの別の構成を示す平面図である。
【図９】本発明の第２の実施形態に係る表示装置の構成を示す平面図である。
【図１０】本発明の第３の実施形態に係る表示装置の構成を示す平面図である。
【発明を実施するための形態】
【００１１】
以下、本発明の実施形態について、図面を参照して詳細に説明する。
なお、以下の説明で用いる図面においては、各構成要素を見やすくするため、構成要素によって寸法の縮尺を異ならせて示すことがあり、各構成要素の寸法比率などが実際と同じであるとは限らないものとする。
【００１２】
（第１の実施形態）
本発明の第１の実施形態として、例えば図１に示す表示装置１について説明する。
なお、図１は、表示装置１の構成を模式的に示す斜視図である。
【００１３】
本実施形態の表示装置１は、図１に示すように、導光板２と、複数（本実施形態では２つ）の光源３Ａ，３Ｂとを備えている。
【００１４】
導光板２は、例えばアクリルやポリカーボネイト等の透明樹脂やガラスなど、空気よりも屈折率の高い材料からなり、全体として略矩形平板状に形成されている。なお、導光板２の平面視形状については、上述した矩形状に限らず、多角形状とすることができる。
【００１５】
複数の光源３Ａ，３Ｂは、例えば発光ダイオード（ＬＥＤ）などの発光素子からなり、導光板２の端面２ａに沿って各々配置されている。
【００１６】
表示装置１は、各光源３Ａ，３Ｂから出射された光Ｌ１，Ｌ２を導光板２の端面２ａから導光板２の内部へと入射し、導光板２の内部で反射を繰り返しながら光Ｌ１，Ｌ２を導光させると共に、導光板２の背面２ｂ側に設けられた複数の反射ドット４により反射された光を導光板２の正面２ｃ側から外部へと出射することによって、複数の反射ドット４により形成される複数（本実施形態では２つ）の表示パターンＰ１，Ｐ２を表示する。
【００１７】
具体的に、導光板２の背面２ｂには、複数の表示パターンＰ１，Ｐ２のうち、第１の表示パターン（例えば一の表示パターンとする。）Ｐ１を形成する複数の反射ドット４により構成された第１の反射ドット群（一の反射ドット群）５Ａと、第２の表示パターン（例えば他の表示パターンとする。）Ｐ２を形成する複数の反射ドット４により構成された第２の反射ドット群（他の反射ドット群）５Ｂとが設けられている。
【００１８】
また、複数の光源３Ａ，３Ｂのうち、第１の光源（一の光源）３Ａは、第１の反射ドット群５Ａに向けて第１の光（一の光）Ｌ１を出射し、第２の光源（他の光源）３Ｂは、第２の反射ドット群５Ｂに向けて第２の光（他の光）Ｌ２を出射する。
【００１９】
さらに、導光板２の面内において、第１の表示パターンＰ１を形成する第１のパターン形成領域（一の表示形成領域）Ｅ１と、第２の表示パターンＰ２を形成する第２のパターン形成領域（他の表示形成領域）Ｅ２との一部が重なり合っている。
【００２０】
第１の実施形態では、第１の表示パターンＰ１と第２の表示パターンＰ２とを表示する第１の光Ｌ１と第２の光Ｌ２との色光が互いに異なっている。一方、第１の光Ｌ１と第２の光Ｌ２との色光とは、互いに異なっている場合に限らず、互いに同じであってもよい。また、第１の表示パターンＰ１と第２の表示パターンＰ２とは、同時に表示されるものであってもよく、別々に表示されるものであってもよい。
【００２１】
反射ドット４は、例えば図２（Ａ），（Ｂ）に示すような構成を有している。なお、図２（Ａ）は、反射ドット４の構成を示す平面図である。図２（Ｂ）は、反射ドット４の構成を示す断面図である。
【００２２】
具体的に、この反射ドット４は、導光板２の背面２ｂに設けられた凹部６により構成されている。凹部６は、互いに逆向きに傾斜した一対の傾斜面６ａ，６ｂを有して、これら一対の傾斜面６ａ，６ｂの長手方向の両端部が突き合わされた形状を有している。
【００２３】
なお、反射ドット４の両端部は、平面視で丸みを帯びた形状を有しているが、平面視で尖っている形状とすることがより好ましい。また、一対の傾斜面６ａ，６ｂが突き合わされる凹部６の底部についても、断面視で丸みを帯びた形状を有しているが、断面視で尖っている形状とすることがより好ましい。
【００２４】
なお、導光板２は、各光源３Ａ，３Ｂから出射された光Ｌ１，Ｌ２が端面２ａから入射するのに十分な厚み（数ｍｍ程度）を有している。これに対して、凹部６は、数μｍ〜数十μｍ程度の深さで、数十μｍ〜数百μｍ（例えば２０〜２５０μｍ）程度の長さを有している。
【００２５】
このうち、一方の傾斜面（本実施形態では傾斜面６ａ）が第１の光源３Ａ（又は第２の光源３Ｂ）からの第１の光Ｌ１（又は第２の光Ｌ２）を反射する反射する反射面４ａを形成している。すなわち、各反射ドット４は、それぞれの表示パターンＰ１，Ｐ２（反射ドット群５Ａ，５Ｂ）に対応した光源３Ａ，３Ｂからの光Ｌ１，Ｌ２を反射する反射面４ａを有している。
【００２６】
第１の実施形態において、反射面４ａは、導光板２を正面２ｃ側から平面視したときに、当該反射面４ａに入射する光Ｐ１，Ｐ２の入射方向と交差する方向に延長された形状を有している。また、反射面４ａは、導光板２の面内方向（又は背面２ｂと平行な方向）に対して一定の角度（例えば４５°）で傾斜している（以下、この角度を反射角度θｄとする。）。
【００２７】
本実施形態の表示装置１では、反射ドット４（反射面４ａ）の長さによって、この反射ドット４（反射面４ａ）で反射される光Ｌ１’，Ｌ２’の光量（輝度）を調整することができる。すなわち、反射ドット４（反射面４ａ）を短くすることによって、この反射ドット４（反射面４ａ）で反射される光Ｌ１’，Ｌ２’の光量（輝度）を小さくすることができる。一方、反射ドット４（反射面４ａ）を長くすることによって、この反射ドット４（反射面４ａ）で反射される光Ｌ１’，Ｌ２’の光量（輝度）を大きくすることができる。
【００２８】
なお、本実施形態では、反射ドット４（凹部６）の作り込みの観点から、各反射ドット４を構成する凹部６の深さ及び傾斜面６ａ，６ｂの角度を一定（共通）としている。一方、凹部６の深さ及びその形状を変更することによって、各反射ドット４で反射される光Ｌ１’，Ｌ２’の光量（輝度）を調整したり、光Ｌ１’，Ｌ２’の配光を調整したりすることも可能である。
【００２９】
また、反射ドット４については、例えば図３に示すような反射面４ａを有した構成としてもよい。なお、図３は、反射ドット４の別の構成を示す平面図である。
【００３０】
図３に示す反射ドット４は、導光板２を正面側から平面視したときに、光源３Ａ，３Ｂからの光Ｌ１，Ｌ２が入射する側に向かって凸状に湾曲した形状の反射面４ａを有している。この構成の場合、反射面４ａに入射した光Ｌ１，Ｌ２を拡散しながら反射することができる。また、反射面４ａは、凹状に湾曲した形状であってよい。この場合も、反射面４ａに入射した光Ｌ１，Ｌ２を反射して拡散することができる。
【００３１】
ところで、本実施形態の表示装置１では、図１に示すように、複数の反射ドット４により反射された光Ｌ１’，Ｌ２’が表示パターンＰ１，Ｐ２を視認する特定のアイポイントＥＰに向かって出射されるように、各反射ドット４に入射する光Ｌ１，Ｌ２の入射方向に対する各反射ドット４により反射される光Ｌ１’，Ｌ２’の反射方向が制御されている。
【００３２】
すなわち、本実施形態の表示装置１では、複数の反射ドット４により反射された光Ｌ１’，Ｌ２’がアイポイントＥＰに向かって出射されるように、反射ドット４毎に導光板２の面内における反射面４ａの向きが設定されている。
【００３３】
これにより、第１の反射ドット群５Ａを構成する複数の反射ドット４により反射された第１の光Ｌ１’がアイポイントＥＰに向かって出射される。また、第２の反射ドット群５Ｂを構成する複数の反射ドット４により反射された第２の光Ｌ２’がアイポイントＥＰに向かって出射される。
【００３４】
一方、第１の反射ドット群５Ａを構成する複数の反射ドット４により反射された第２の光Ｌ２’がアイポイントＥＰとは異なる位置に向かって出射される。また、第２の反射ドット群５Ｂを構成する複数の反射ドット４により反射された第１の光Ｌ１’がアイポイントＥＰとは異なる位置に向かって出射される。
【００３５】
ここで、反射面４ａに対する第１の光Ｌ１の入射方向及び第１の光Ｌ１’の出射方向とアイポイントＥＰとの関係について、図４を参照しながら説明する。
なお、図４は、反射面４ａに対する第１の光Ｌ１の入射方向及び第１の光Ｌ１’の出射方向とアイポイントＥＰとの関係を説明するための斜視図である。
【００３６】
また、反射面４ａに対する第２の光Ｌ２の入射方向及び第２の光Ｌ２’の出射方向とアイポイントＥＰとの関係については、反射面４ａに対する第１の光Ｌ１の入射方向及び第１の光Ｌ１’の出射方向とアイポイントＥＰとの関係と同様であることから、その説明を省略するものとする。
【００３７】
本実施形態の表示装置１では、図４に示すように、第１の光源３Ａから反射ドット４の反射面４ａに向かう第１の光Ｌ１の方向成分を「入射方向ベクトルＩＤＶ」及びその逆ベクトルを「反入射方向ベクトル−ＩＤＶ」とし、反射面４ａからアイポイントＥＰに向かう第１の光Ｌ１’の方向成分を「出射方向ベクトルＯＤＶ」とし、反射面４ａに対して垂直な方向成分を「法線ベクトルＮＯＶ」としたときに、反入射方向ベクトル−ＩＤＶと出射方向ベクトルＯＤＶとの合成ベクトルが法線ベクトルＮＯＶと一致するように、導光板２の面内における反射ドット４の反射面４ａの向きが設定されている。
【００３８】
これにより、本実施形態の表示装置１では、反射ドット４の反射面４ａにより反射された第１の光Ｌ１をアイポイントＥＰに向かって出射することができる。
【００３９】
但し、上述した反射角度θｄを一定（４５°）とした場合、反入射方向ベクトル−ＩＤＶと出射方向ベクトルＯＤＶとの合成ベクトルを法線ベクトルＮＯＶと一致させることは困難である。
【００４０】
そこで、導光板２の面内における各反射ドット４の反射面４ａの向きについては、上述した合成ベクトルを法線ベクトルＮＯＶに近づける必要がある。その具体的な方法について、図５（Ａ），（Ｂ）及び図６（Ａ），（Ｂ）を参照しながら説明する。
【００４１】
なお、図５は、反射角度θｄが理想反射角度θｎよりも小さい場合（θｎ＞θｄ）の反射面４ａの向きを示し、（Ａ）はその補正前の状態を示す平面図、（Ｂ）はその補正後の状態を示す平面図である。図６は、反射角度θｄが理想反射角度θｎよりも大きい場合（θｎ＜θｄ）の反射面の向きを示し、（Ａ）はその補正前の状態を示す平面図、（Ｂ）はその補正後の状態を示す平面図である。
【００４２】
図５（Ａ），（Ｂ）及び図６（Ａ），（Ｂ）においては、反射面４ａの中央部においてＸＹ座標を設定し、入射方向ベクトルＩＤＶをＹ軸と一致させている。また、反射面４ａの中央部に接する接線ＴをＸ’軸とし、この接線Ｔに直交する方向をＹ’軸とするＸ’Ｙ’座標を設定し、法線ベクトルＮＯＶをＹ’軸と一致させている。さらに、入射方向ベクトルＩＤＶ（Ｙ軸）に対して法線ベクトルＮＯＶ（Ｙ’軸）が為す角度を反射面４ａの「配置角度θｐ」とし、出射方向ベクトルＯＤＶがアイポイントＥＰに向かう理想的な反射角度を「理想反射角度θｎ」とし、アイポイントＥＰを通るＹ軸と平行なラインを「アイポイントラインＥＰＬ」としている。
【００４３】
反射角度θｄを一定（４５°）とした場合、法線ベクトルＮＯＶから算出される理想反射角度θｎに近づけるように、反射面４ａの配置角度θｐを調整する必要がある。
【００４４】
具体的に、図５（Ａ）に示すように、反射角度θｄが理想反射角度θｎよりも小さい場合（θｎ＞θｄ）は、反射面４ａの向きを、反射面４ａの中心座標（Ｘ，Ｙ）＝（０，０）を中心として、配置角度θｐが小さくなるプラス（＋）方向へと調整する。これにより、図５（Ｂ）に示すように、出射方向ベクトルＯＤＶをアイポイントラインＥＰＬへと近づけることができる。
【００４５】
これに対して、図６（Ａ）に示すように、反射角度θｄが理想反射角度θｎよりも大きい場合（θｎ＜θｄ）は、反射面４ａの向きを、反射面４ａの中心座標（Ｘ，Ｙ）＝（０，０）を中心として、配置角度θｐが大きくマイナス（−）方向へと調整する。これにより、図６（Ｂ）に示すように、出射方向ベクトルＯＤＶをアイポイントラインＥＰＬへと近づけることができる。
【００４６】
また、出射方向ベクトルＯＤＶをアイポイントラインＥＰＬへと近づけるための具体的な数値例を下記表１に示す。なお、表１中に示す座標（ｘｐ，ｙｐ）は、導光板２を正面２ｃ側から平面視したときの、反射ドット４の反射面４ａの中心位置を表す。また、ｘｐ軸は、導光板２を正面２ｃ側から平面視したときの入射側の端面２ａに平行な軸であり、ｙｐ軸は、ｘｐ軸に対して垂直な軸である。
【００４７】
【表１】
2019215475.tif 000003
【００４８】
例えば、座標（ｘｐ，ｙｐ）が（２８．３，−１９．９）である場合、理想反射角度θｎと反射角度θｄとの差（θｎ−θｄ）が０．１８４２０４２８となる。この場合、理想反射角度θｎが反射角度θｄに対してプラス（＋）となっていることから、反射面４ａの向きを配置角度θｐが小さくなるプラス（＋）方向へと調整する。これにより、出射方向ベクトルＯＤＶをアイポイントラインＥＰＬへと近づけることができる。
【００４９】
一方、座標（ｘｐ，ｙｐ）が（３２．８，−３８．８）である場合、理想反射角度θｎと反射角度θｄとの差（θｎ−θｄ）が−０．３６８２１２２５となる。この場合、理想反射角度θｎが反射角度θｄに対してマイナス（−）となっていることから、反射面４ａの向きを配置角度θｐが大きくなるマイナス（−）方向へと調整する。これにより、出射方向ベクトルＯＤＶをアイポイントラインＥＰＬへと近づけることができる。
【００５０】
なお、後述する合成ドットの場合には、反射率を考慮して、隣接する一の反射ドットと他の反射ドットとの端部同士を突き合わせた合成ドットを構成するため、更に反射面４ａのｘｐｙｐ平面上における位置調整を行うことが好ましい。
【００５１】
以上のようにして、本実施形態の表示装置１では、各反射ドット４の反射面４ａで反射される光Ｌ１’，Ｌ２’の配光を高い精度で制御することが可能である。
【００５２】
なお、本実施形態では、反射ドット４（凹部６）の作り込みの観点から、上述した反射角度θｄを一定（４５°）とした場合を例示しているが、反入射方向ベクトル−ＩＤＶと出射方向ベクトルＯＤＶとの合成ベクトルを法線ベクトルＮＯＶと一致させるため、反射面４ａの向き（配置角度θｐ）の他にも、反射角度θｄが理想反射角度θｎとなるように、反射角度θｄを調整する構成としてもよい。また、反射ドット４（凹部６）の実際の設計においては、導光板２に対する入射時及び出射時の屈折率を考慮する必要がある。
【００５３】
また、本実施形態では、アイポイントＥＰを点として模式的に表しているが、実際は視認者の目幅（例えば６５ｍｍ）に合わせて、視認者が特定の位置にて視認できる範囲をアイポイントＥＰとして定義すればよい。
【００５４】
また、本実施形態の表示装置１では、各光源３Ａ，３Ｂから放射状に出射される光Ｌ１，Ｌ２の放射角が最大で６０°〜１２０°（好ましくは６０°）となる範囲で、各光源３Ａ，３Ｂに対応した複数の反射ドット４に光Ｌ１，Ｌ２が入射するように、各反射ドット４を配置することが好ましい。
【００５５】
以上のように、本実施形態の表示装置では、上述した各反射ドット群５Ａ，５Ｂを構成する複数の反射ドット４により反射された光Ｌ１，Ｌ２が、各表示パターンＰ１，Ｐ２を視認する特定のアイポイントＥＰに向かって出射されるように、各反射ドット４（反射面４ａ）に入射する光Ｌ１，Ｌ２の入射方向に対する各反射ドット４（反射面４ａ）により反射される光Ｌ１’，Ｌ２’の反射方向が制御されている。
【００５６】
これにより、特定のアイポイントＥＰにおいて視認される第１の表示パターンＰ１及び第２の表示パターンＰ２の視認性を向上させることが可能である。また、アイポイントＥＰを変えることなく、視認者の目幅よりも大きな表示パターンＰ１，Ｐ２や、視認者の目幅よりも離れた位置にある複数の表示パターンＰ１，Ｐ２を視認することが可能である。
【００５７】
また、本実施形態の表示装置では、上述した第１のパターン形成領域Ｅ１と第２のパターン形成領域Ｅ２との少なくとも一部が重なり合っている場合でも、それぞれのパターン形成領域Ｅ１，Ｅ２毎に、各反射ドット４の反射面４ａで反射される光Ｌ１’，Ｌ２’の配光を高い精度で制御することが可能である。したがって、この場合も、特定のアイポイントＥＰにおいて視認される第１の表示パターンＰ１及び第２の表示パターンＰ２の視認性を向上させることが可能である。
【００５８】
また、本実施形態の表示装置では、上述した第１のパターン形成領域Ｅ１と、第２のパターン形成領域Ｅ２とが重なり合う領域において、例えば図７に示すような合成ドット７を含む構成としてもよい。なお、図８は、合成ドット７の構成を示す平面図である。
【００５９】
合成ドット７は、第１の反射ドット群５Ａを構成する複数の反射ドット４と、第２の反射ドット群５Ｂを構成する複数の反射ドット４とのうち、隣接する一方の反射ドット（一の反射ドット）４と他方の反射ドット（他の反射ドット）４との端部同士が突き合わされた構成を有している。このうち、第１の反射ドット群５Ａを構成する一方の反射ドット４は、第１の光源３Ａからの第１の光Ｌ１が入射する方向に反射面４ａを向けた状態で配置されている。一方、第２の反射ドット群５Ｂを構成する他方の反射ドット４は、第２の光源３Ｂからの第２の光Ｌ２が入射する方向に反射面４ａを向けた状態で配置されている。
【００６０】
これにより、上述した第１のパターン形成領域Ｅ１と、第２のパターン形成領域Ｅ２とが重なり合う場合でも、この重なり合う領域に合成ドット７を配置することで、隣接した一方の反射ドット４と他方の反射ドット４とを適切な向きに効率良く配置することが可能である。
【００６１】
なお、合成ドット７については、上述した図７に示す構成に必ずしも限定されるものではなく、例えば図８に示すような合成ドット８を配置することも可能である。なお、図８は、合成ドット８の構成を示す平面図である。
【００６２】
このうち、図８に示す合成ドット８は、４つの隣接した反射ドット４の端部同士が突き合わされた構成を有している。また、これら４つの反射ドット４は、それぞれの光源（図示せず。）からの光が入射する方向に反射面４ａを向けた状態で配置されている。このように、隣接した反射ドット４の数が増加した場合でも、隣接した一の反射ドット４と他の反射ドット４との端部同士を突き合わることで、これらの反射ドット４を適切な向きに効率良く配置することが可能である。
【００６３】
なお、隣接する反射ドット４については、必ずしも隣接した一の反射ドット４と他の反射ドット４との端部同士を突き合わせた合成ドットとする必要はなく、一の反射ドット４と他の反射ドット４との配置（ピッチ）をずらすことで、互いの干渉を防ぐことが可能である。
【００６４】
（第２の実施形態）
次に、本発明の第２の実施形態として、図９に示す表示装置１Ａについて説明する。
なお、図９は、表示装置１Ａの構成を示す平面図である。また、以下の説明では、上記表示装置１と同等の部位については、説明を省略すると共に、図面において同じ符号を付すものとする。
【００６５】
本実施形態の表示装置１Ａは、図９に示すように、導光板２の面内において、４つの表示パターンＰ３，Ｐ４，Ｐ５，Ｐ６を重ね合わせることによって、１つの画像Ｇを表示するものである。
【００６６】
具体的に、導光板２の背面２ｂには、第１の表示パターンＰ３を形成する複数の反射ドット４（図９において図示せず。）に構成された第１の反射ドット群５Ｃと、第２の表示パターンＰ４を形成する複数の反射ドット４（図９において図示せず。）に構成された第２の反射ドット群５Ｄと、第３の表示パターンＰ５を形成する複数の反射ドット４（図９において図示せず。）に構成された第３の反射ドット群５Ｅと、第４の表示パターンＰ６を形成する複数の反射ドット４（図９において図示せず。）に構成された第４の反射ドット群５Ｇとが設けられている。
【００６７】
また、表示装置１Ａは、第１の反射ドット群５Ｃに向けて第１の光Ｌ３を出射する第１の光源３Ｃと、第２の反射ドット群５Ｄに向けて第２の光Ｌ４を出射する第２の光源３Ｄと、第３の反射ドット群５Ｅに向けて第３の光Ｌ５を出射する第３の光源３Ｅと、第４の反射ドット群５Ｆに向けて第４の光Ｌ６を出射する第４の光源３Ｆとを備えている。
【００６８】
各光源３Ｃ〜３Ｆは、赤色光を発する赤色ＬＥＤチップ（赤色発光素子）と、緑色光を発する緑色ＬＥＤチップ（緑色発光素子）と、青色光を発する青色ＬＥＤチップ（青色発光素子）９とを含むＬＥＤパッケージにより構成されている。各光源３Ｃ〜３Ｆは、これらの色光を混色して得られる第１の光Ｌ３，第２の光Ｌ４，第３の光Ｌ５，第４の色光Ｌ６を放射状に出射する。
【００６９】
ここで、各光源３Ｃ〜３Ｆでは、ＬＥＤパッケージ内の各ＬＥＤチップが発する赤色光、緑色光、青色光の割合を制御しながら、これらの色光の混色によって各光Ｌ３〜Ｌ６の発光色を任意に調整することができる。したがって、第２の実施形態では、例えば、第１の光源３Ｃが第１の光Ｌ３として黄色光を出射し、第２の光源３Ｄが第２の光Ｌ４として白色光を出射し、第３の光源３Ｅが第３の光Ｌ５として緑色光を出射し、第４の光源３Ｆが第４の光Ｌ６として桃色光を出射するといった設定を行うことができる。
【００７０】
また、導光板２の四方の端面２ａのうち、第１の光源３Ｃ及び第２の光源３Ｄは、図９中の下側の端面２ａに沿って配置されている。第３の光源３Ｅ及び第４の光源３Ｆは、図９中の右側の端面２ａに沿って配置されている。したがって、各光源３Ｃ，３Ｄ，３Ｅ，３Ｆから出射された光Ｌ３〜Ｌ６は、それぞれの端面２ａから導光板２の内部へと入射することになる。
【００７１】
本実施形態の表示装置１Ａでは、第１の反射ドット群５Ｃを構成する複数の反射ドット４により反射された第１の光Ｌ３が共通のアイポイント（図９において図示せず。）に向かって出射されるように、各反射ドット４に入射する第１の光Ｌ３の入射方向に対する各反射ドット４により反射される第１の光Ｌ３の反射方向が制御されている。
【００７２】
また、本実施形態の表示装置１Ａでは、第２の反射ドット群５Ｄを構成する複数の反射ドット４により反射された第２の光Ｌ４が共通のアイポイントに向かって出射されるように、各反射ドット４に入射する第２の光Ｌ４の入射方向に対する各反射ドット４により反射される第２の光Ｌ４の反射方向が制御されている。
【００７３】
また、本実施形態の表示装置１Ａでは、第３の反射ドット群５Ｅを構成する複数の反射ドット４により反射された第３の光Ｌ５が共通のアイポイントに向かって出射されるように、各反射ドット４に入射する第３の光Ｌ５の入射方向に対する各反射ドット４により反射される第３の光Ｌ５の反射方向が制御されている。
【００７４】
また、本実施形態の表示装置１Ａでは、第４の反射ドット群５Ｆを構成する複数の反射ドット４により反射された第４の光Ｌ６が共通のアイポイントに向かって出射されるように、各反射ドット４に入射する第４の光Ｌ６の入射方向に対する各反射ドット４により反射される第４の光Ｌ６の反射方向が制御されている。
【００７５】
一方、第１の反射ドット群５Ｃを構成する複数の反射ドット４により反射された第２、第３及び第４の光Ｌ４，Ｌ５，Ｌ６は、共通のアイポイントとは異なる位置に向かって出射される。また、第２の反射ドット群５Ｄを構成する複数の反射ドット４により反射された第１、第３及び第４の光Ｌ３，Ｌ５，Ｌ６は、共通のアイポイントとは異なる位置に向かって出射される。また、第３の反射ドット群５Ｅを構成する複数の反射ドット４により反射された第１、第２及び第４の光Ｌ３，Ｌ４，Ｌ６は、共通のアイポイントとは異なる位置に向かって出射される。また、第４の反射ドット群５Ｆを構成する複数の反射ドット４により反射された第１、第２及び第３の光Ｌ３，Ｌ４，Ｌ５は、共通のアイポイントとは異なる位置に向かって出射される。
【００７６】
これにより、本実施形態の表示装置１Ａでは、上述した４つの表示パターンＰ３，Ｐ４，Ｐ５，Ｐ６を共通のアイポイントで視認することができ、これらの表示パターンＰ３，Ｐ４，Ｐ５，Ｐ６が重ね合わされた１つの画像Ｇを視認することが可能である。
【００７７】
また、本実施形態の表示装置１Ａでは、上述した各光源３Ｃ〜３Ｆから出射される光Ｌ３〜Ｌ６の色光を変更することで、画像Ｇのカラー表示を任意に変更することが可能である。
【００７８】
また、本実施形態の表示装置１Ａでは、図示を省略するものの、例えば、同じ端面２ａに沿って配置された第１及び第２の光源３Ｃ，３Ｄからの光Ｌ３，Ｌ４（又は第３及び第４の光源３Ｅ，３Ｆからの光Ｌ５，Ｌ６）の両方が照射される領域に、これら両方の光Ｌ３，Ｌ４（又は光Ｌ５，Ｌ６）を共通のアイポイントへ反射する複数の反射面４ａにより構成される反射ドット群を設けた構成としてもよい。これにより、異なる光源３Ｃ，３Ｄ（又は光源３Ｅ，３Ｆ）からの光Ｌ３，Ｌ４（又は光Ｌ５，Ｌ６）の混色によって表示パターンを表示することも可能である。
【００７９】
また、異なる光源３Ｃ，３Ｄ（又は光源３Ｅ，３Ｆ）からの光Ｌ３，Ｌ４（又は光Ｌ５，Ｌ６）を共通のアイポイントに向けて反射する反射ドット４（反射面４ａ）では、一方の光Ｌ３（又は光Ｌ５）と他方の光Ｌ４（又はＬ６）との反射する面積の割合を調整することができる。これにより、一方の光Ｌ３（又は光Ｌ５）と他方の光Ｌ４（又はＬ６）との混色によって得られる光の発光色を変更することが可能である。
【００８０】
（第３の実施形態）
次に、本発明の第３の実施形態として、図１０に示す表示装置１Ｂについて説明する。
なお、図１０は、表示装置１Ｂの構成を示す平面図である。また、以下の説明では、上記表示装置１と同等の部位については、説明を省略すると共に、図面において同じ符号を付すものとする。
【００８１】
本実施形態の表示装置１Ｂは、図１０に示すように、導光板２の面内において、３つの同じ表示パターンＰ７，Ｐ８，Ｐ９を順次ずらして配置し、各表示パターンＰ７，Ｐ８，Ｐ９の表示を順次切り替えることによって、表示パターンＰ７，Ｐ８，Ｐ９の動き（アニメーション）を表示するものである。
【００８２】
具体的に、導光板２の背面２ｂには、第１の表示パターンＰ７を形成する複数の反射ドット４（図１０において図示せず。）に構成された第１の反射ドット群５Ｇと、第２の表示パターンＰ８を形成する複数の反射ドット４（図１０において図示せず。）に構成された第２の反射ドット群５Ｈと、第３の表示パターンＰ９を形成する複数の反射ドット４（図１０において図示せず。）に構成された第３の反射ドット群５Ｉとが設けられている。
【００８３】
また、表示装置１Ｂは、第１の反射ドット群５Ｇに向けて第１の光Ｌ７を出射する第１の光源３Ｇと、第２の反射ドット群５Ｈに向けて第２の光Ｌ８を出射する第２の光源３Ｈと、第３の反射ドット群５Ｉに向けて第３の光Ｌ９を出射する第３の光源３Ｉとを備えている。
【００８４】
また、第１の光源３Ｇ、第２の光源３Ｈ及び第３の光源３Ｉは、導光板２の共通の端面２ａに沿って互いに離間した状態で並んで配置されている。したがって、各光源３Ｇ，３Ｈ，３Ｉは、それぞれ異なる位置から第１の光Ｌ７，第２の光Ｌ８，第３の光Ｌ９を放射状に出射する。また、第１の光Ｌ７，第２の光Ｌ８，第３の光Ｌ９は、互いに同じ色光となっている。
【００８５】
本実施形態の表示装置１Ｂでは、第１の反射ドット群５Ｇを構成する複数の反射ドット４により反射された第１の光Ｌ７が共通のアイポイント（図１０において図示せず。）に向かって出射されるように、各反射ドット４に入射する第１の光Ｌ７の入射方向に対する各反射ドット４により反射される第１の光Ｌ７の反射方向が制御されている。
【００８６】
また、本実施形態の表示装置１Ｂでは、第２の反射ドット群５Ｈを構成する複数の反射ドット４により反射された第２の光Ｌ８が共通のアイポイントに向かって出射されるように、各反射ドット４に入射する第２の光Ｌ８の入射方向に対する各反射ドット４により反射される第２の光Ｌ８の反射方向が制御されている。
【００８７】
また、本実施形態の表示装置１Ｂでは、第３の反射ドット群５Ｉを構成する複数の反射ドット４により反射された第３の光Ｌ９が共通のアイポイントに向かって出射されるように、各反射ドット４に入射する第３の光Ｌ９の入射方向に対する各反射ドット４により反射される第３の光Ｌ９の反射方向が制御されている。
【００８８】
一方、第１の反射ドット群５Ｇを構成する複数の反射ドット４により反射された第２及び第３の光Ｌ８，Ｌ９は、共通のアイポイントとは異なる位置に向かって出射される。また、第２の反射ドット群５Ｈを構成する複数の反射ドット４により反射された第１及び第３の光Ｌ７，Ｌ９は、共通のアイポイントとは異なる位置に向かって出射される。また、第３の反射ドット群５Ｉを構成する複数の反射ドット４により反射された第１及び第２の光Ｌ７，Ｌ８は、共通のアイポイントとは異なる位置に向かって出射される。
【００８９】
これにより、本実施形態の表示装置１Ｂでは、上述した３つの表示パターンＰ７，Ｐ８，Ｐ９を共通のアイポイントで視認することができる。また、各光源３Ｇ，３Ｈ，３Ｉの点灯を順次切り替えることによって、各表示パターンＰ７，Ｐ８，Ｐ９の表示を順次切り替えながら、これらの表示パターンＰ７，Ｐ８，Ｐ９の動き（アニメーション）を視認することが可能である。
【００９０】
なお、本発明は、上記実施形態のものに必ずしも限定されるものではなく、本発明の趣旨を逸脱しない範囲において種々の変更を加えることが可能である。
例えば、上記導光板２のうち、各光源３Ａ〜３Ｉと対向する端面２ａについては、レンズ面（シリンドリカル面）とし、各光源３Ａ〜３Ｉから出射された光Ｌ１〜９を導光板２の厚み方向において集光させながら、導光板２の内部へと入射させる構成としてもよい。
【００９１】
また、上記光源３Ａ〜３Ｉについては、導光板２の端面２ａに対向して配置された構成となっているが、導光板２の面内に対して平行に各光源３Ａ〜３Ｉを配置し、各光源３Ａ〜３Ｉから出射された光Ｌ１〜Ｌ９をリフレクタを介して導光板２の端面２ａに入射させる構成としてもよい。
【００９２】
なお、上記表示装置１，１Ａ，１Ｂについては、例えば、パチンコ機やパチスロ機などの遊技機において、液晶表示パネルなどの表示画面の前面に導光板２を配置し、表示画面に表示される画像とは別に、導光板２に表示される表示パターンを視認するといった用途に用いることが可能である。
【００９３】
また、本発明を適用した表示装置については、上述した遊技機に限らず、本発明の表示装置が適用可能な用途に対して、本発明の表示装置を幅広く適用することが可能である。
【符号の説明】
【００９４】
１，１Ａ，１Ｂ…表示装置  ２…導光板  ２ａ…端面  ２ｂ…背面  ２ｃ…正面  ３Ａ，３Ｃ，３Ｇ…第１の光源  ３Ｂ，３Ｄ，３Ｈ…第２の光源  ３Ｅ，３Ｉ…第３の光源  ３Ｆ…第４の光源  ４…反射ドット  ４ａ…反射面  ５Ａ，５Ｃ，５Ｇ…第１の反射ドット群  ５Ｂ，５Ｄ，５Ｈ…第２の反射ドット群  ５Ｅ，５Ｉ…第３の反射ドット群  ５Ｆ…第４の反射ドット群  ６…凹部  ６ａ，６ｂ…傾斜面  ７，８…合成ドット  Ｐ１，Ｐ３，Ｐ７…第１の表示パターン  Ｐ２，Ｐ４，Ｐ８…第２の表示パターン  Ｐ５，Ｐ９…第３の表示パターン  Ｐ６…第４の表示パターン  Ｇ…画像  Ｅ１…第１のパターン形成領域  Ｅ２…第２のパターン形成領域  Ｌ１，Ｌ１’，Ｌ３，Ｌ７…第１の光  Ｌ２，Ｌ２’，Ｌ４，Ｌ８…第２の光  Ｌ５，Ｌ９…第３の光  Ｌ６…第４の光  ＥＰ…アイポイント
【図１】
2019215475.tif 000004
【図２】
2019215475.tif 000005
【図３】
2019215475.tif 000006
【図４】
2019215475.tif 000007
【図５】
2019215475.tif 000008
【図６】
2019215475.tif 000009
【図７】
2019215475.tif 000010
【図８】
2019215475.tif 000011
【図９】
2019215475.tif 000012
【図１０】
2019215475.tif 000013